(57)【要約】【課題】システムの使用状態を監視し、その使用状態に従って最も消費電力の大きい読取装置を低消費電力となる待機状態又は電源オフ状態とすることにより、消費電力を効果的に削減することができる放射線画像形成システムを提供する。【解決手段】読取装置制御部８０は、Ｘ線源１６、読取装置２６又はバッテリ２７の使用状態を監視し、例えば、Ｘ線源１６が撮影可能位置に配置されていないこと、読取装置２６に所定時間信号の入力がないこと、バッテリ２７の残容量が許容下限値以下であること等を検知した際、モード切替回路９２を制御して読取装置２６を省エネモードに切り替える。【選択図】図３
2008073121.tif 000002
【特許請求の範囲】
【請求項１】
被写体に放射線を照射する放射線源と、
前記被写体に照射された前記放射線に基づく放射線画像情報が記録された放射線変換パネルより前記放射線画像情報を読み取る読取装置と、
前記放射線源及び前記読取装置を駆動するための電力を供給するバッテリと、
前記放射線源、前記読取装置又は前記バッテリの少なくとも１つの使用状態を監視する監視手段と、
前記使用状態に従い、前記読取装置を、低消費電力となる待機状態又は電源オフ状態に設定する状態設定手段と、
を備えることを特徴とする放射線画像形成システム。
【請求項２】
請求項１記載のシステムにおいて、
当該システムは、前記放射線源、前記読取装置及び前記バッテリを台車に載置した状態で移動可能に構成されることを特徴とする放射線画像形成システム。
【請求項３】
請求項１又は２記載のシステムにおいて、
前記監視手段は、前記放射線源の配置状態を検知する配置状態検知手段から構成され、
前記状態設定手段は、前記配置状態検知手段が、前記放射線源の配置状態が前記放射線を照射しない位置に設定されていることを検知したとき、前記読取装置を低消費電力となる待機状態又は電源オフ状態に設定することを特徴とする放射線画像形成システム。
【請求項４】
請求項１又は２記載のシステムにおいて、
前記監視手段は、当該システムが前記放射線画像情報を取得する領域にあるか否かを検知する領域検知手段から構成され、
前記状態設定手段は、前記領域検知手段が、当該システムが前記領域外にあることを検知したとき、前記読取装置を低消費電力となる待機状態又は電源オフ状態に設定することを特徴とする放射線画像形成システム。
【請求項５】
請求項１又は２記載のシステムにおいて、
前記監視手段は、前記読取装置の動作状態を検知する動作状態検知手段から構成され、
前記状態設定手段は、前記動作状態検知手段が、前記読取装置の動作終了を検知したとき、前記読取装置を低消費電力となる待機状態又は電源オフ状態に設定することを特徴とする放射線画像形成システム。
【請求項６】
請求項１又は２記載のシステムにおいて、
前記監視手段は、前記読取装置に対する信号の入力状態を検知する入力状態検知手段から構成され、
前記状態設定手段は、前記入力状態検知手段が、所定時間以上の信号の入力を検知しないとき、前記読取装置を低消費電力となる待機状態又は電源オフ状態に設定することを特徴とする放射線画像形成システム。
【請求項７】
請求項１又は２記載のシステムにおいて、
前記監視手段は、前記バッテリの残容量を検知する残容量検知手段から構成され、
前記状態設定手段は、前記残容量検知手段が、所定量以下の残容量であることを検知したとき、前記読取装置を低消費電力となる待機状態又は電源オフ状態に設定することを特徴とする放射線画像形成システム。
【発明の詳細な説明】
【技術分野】
【０００１】
本発明は、放射線源と、放射線源を用いて放射線変換パネルに記録された放射線画像情報を読み取る読取装置とを有し、これらの装置をバッテリから供給される電力を用いて駆動する放射線画像形成システムに関する。
【背景技術】
【０００２】
例えば、ある種の蛍光体に放射線（Ｘ線、α線、β線、γ線、紫外線、電子線等）を照射すると、この放射線のエネルギの一部が蛍光体に蓄積され、その後、その蛍光体に可視光等の励起光を照射すると、蓄積されたエネルギに応じた輝尽発光光が出力される。
【０００３】
このような蛍光体からなる蓄積性蛍光体パネルを利用して、人体等の被写体の放射線画像情報を一旦蓄積性蛍光体パネルに蓄積記録する撮影装置、及び、放射線画像情報の蓄積記録された蓄積性蛍光体パネルを励起光で走査し、得られる輝尽発光光を光電的に読み取って画像信号を得、この画像信号を処理して診断適性に優れた画像を得る読取装置が開発されている。
【０００４】
なお、放射線画像情報の読み取られた蓄積性蛍光体パネルは、蛍光体の励起光波長領域の光を含む消去光を照射し、残存する放射線画像情報を消去することにより、繰り返し使用することができる。従って、前記読取装置には、蓄積性蛍光体パネルに消去光を照射することで消去処理を行う消去装置を組み込んだものがある。
【０００５】
また、蓄積性蛍光体パネルに代えて、光変換方式の放射線固体検出器を利用して放射線画像情報を取得することもできる。この光変換方式の放射線固体検出器は、多数の固体検出素子をマトリクス状に配列して形成したもので、放射線が照射されると、放射線量に応じた静電潜像が固体検出素子に蓄積記録される。静電潜像を読み取る際には、放射線固体検出器に読取光を照射し、発生した電流の値を放射線画像情報として取得する。この場合、放射線固体検出器は、蓄積性蛍光体パネルと同様に、消去光を放射線固体検出器に照射することで、残存する静電潜像である放射線画像情報を消去して再使用することができる。
【０００６】
ところで、病院等の医療機関では、通常、撮影装置が病室から離れた撮影室に配置されており、患者がその撮影室まで移動して撮影を行っている。しかしながら、患者によっては、撮影室まで移動することができない者もいる。そこで、このような患者のため、撮影装置を病室まで移動させて撮影を行う可搬型の撮影装置が開発されている（特許文献１、２参照）。
【０００７】
特許文献１に開示された可搬型撮影装置は、放射線画像情報の読取機能を備えたもので、図９に示すように、放射線変換パネル１が接続された制御部２、Ｘ線源３を駆動する駆動回路４及びこれらに電力を供給するバッテリ５が台車６に載置されて構成される。駆動回路４は、Ｘ線源３を駆動して被写体７にＸ線を照射し、被写体７を透過したＸ線が放射線画像情報として放射線変換パネルに記録される。そして、制御部２により放射線変換パネルに記録された放射線画像情報の読取処理が行われる。
【０００８】
ここで、特許文献１の撮影装置では、車輪８に近接して回転検出センサ９を配置し、回転検出センサが装置の移動状態を検知したとき、撮影に係る不必要な機能を休止させることにより、誤操作等による不要な動作の発生を抑えるとともに、消費電力の低減を図るようにしている。
【０００９】
また、特許文献２の撮影装置では、ＡＣ電源が接続されていないときには、取得した放射線画像情報の保存のみを行い、それに対する画像処理を行わないことでバッテリの消耗を抑制するようにしている。
【００１０】
【特許文献１】特開２００６−１５８５０８号公報
【特許文献２】特開２００５−２７７３９号公報
【発明の開示】
【発明が解決しようとする課題】
【００１１】
しかしながら、特許文献１の場合は、撮影装置の移動時以外での消費電力の削減を図れるものではなく、また、撮影に係る機能を停止させているだけであるため、十分な消費電力の削減を達成することはできない。
【００１２】
また、特許文献２の場合は、画像処理を行わないだけであって、読取装置の他の機能が起動状態となっており、この場合も消費電力を十分に削減することはできない。
【００１３】
本発明は、前記の不具合を解消するためになされたものであって、システムの使用状態を監視し、その使用状態に従って最も消費電力の大きい読取装置を低消費電力となる待機状態又は電源オフ状態とすることにより、消費電力を効果的に削減することができる放射線画像形成システムを提供することを目的とする。
【課題を解決するための手段】
【００１４】
本発明の放射線画像形成システムは、被写体に放射線を照射する放射線源と、
前記被写体に照射された前記放射線に基づく放射線画像情報が記録された放射線変換パネルより前記放射線画像情報を読み取る読取装置と、
前記放射線源及び前記読取装置を駆動するための電力を供給するバッテリと、
前記放射線源、前記読取装置又は前記バッテリの少なくとも１つの使用状態を監視する監視手段と、
前記使用状態に従い、前記読取装置を、低消費電力となる待機状態又は電源オフ状態に設定する状態設定手段と、
を備えることを特徴とする。
【発明の効果】
【００１５】
本発明の放射線画像形成システムでは、システムの使用状態を監視し、その使用状態に従って、最も消費電力の大きい読取装置を低消費電力となる待機状態又は電源オフ状態とすることにより、消費電力を効果的に削減することができる。これにより、可搬型の放射線画像形成システムの安定した動作状態が保証される。
【発明を実施するための最良の形態】
【００１６】
図１は、本実施形態の放射線画像形成システム１０の構成を示す。放射線画像形成システム１０は、台車１２に載置された状態で病室等に搬送可能に構成される。
【００１７】
台車１２には、放射線画像情報を撮影するための撮影情報等を入力し、あるいは、外部から取得するためのディスプレイを備えたコンソール１４と、コンソール１４から供給された撮影情報に従ってＸ線源１６を制御し、被写体１８にＸ線２０を照射するＸ線源制御装置２２と、被写体１８を透過したＸ線２０が照射されることで放射線画像情報が記録される蓄積性蛍光体パネルＰを収納したカセッテ２４が装填され、前記蓄積性蛍光体パネルＰから放射線画像情報を読み取る読取装置２６と、蓄積性蛍光体パネルＰから読み取られた放射線画像情報を外部に送信する一方、外部から必要な情報を取得する送受信機２８と、コンソール１４、Ｘ線源１６、Ｘ線源制御装置２２、読取装置２６及び送受信機２８に対して電力を供給するバッテリ２７とが載置される。
【００１８】
この場合、Ｘ線源１６は、アーム部材２９を介してＸ線源制御装置２２に連結される。また、バッテリ２７には、充電器３１が接続されており、必要に応じてバッテリ２７の充電を行うことができる。なお、放射線画像形成システム１０が搬入される病室等の入口３３には、送受信機２８との間で情報の授受を行う室内送受信機３５が配設される。
【００１９】
図２は、読取装置２６の内部構成を示す。ここで、読取装置２６に装填されるカセッテ２４は、開閉自在な蓋部材３０を有するとともに、当該カセッテ２４を識別するためのＩＤ情報が記録された図示しないバーコードが装着されている。
【００２０】
読取装置２６は、ケーシング３６の上部にカセッテ装填部３８を備え、このカセッテ装填部３８には、矢印方向にスライド自在な蓋部材４０が配設される。放射線画像情報が記録された蓄積性蛍光体パネルＰを収納したカセッテ２４は、蓋部材３０を下にした状態でカセッテ装填部３８に装填される。
【００２１】
カセッテ装填部３８には、カセッテ２４に装着されているバーコードを読み取るバーコードリーダ４２と、カセッテ２４の蓋部材３０のロックを解除するロック解除機構４６と、カセッテ２４から蓄積性蛍光体パネルＰを吸着して取り出す吸着盤４８と、吸着盤４８によって取り出された蓄積性蛍光体パネルＰを挟持搬送するニップローラ５０とが配設される。
【００２２】
ニップローラ５０に連設して、複数の搬送ローラ５２ａ〜５２ｇ及び複数のガイド板５４ａ〜５４ｆが配設され、これらにより湾曲搬送路５６が構成される。搬送ローラ５２ｃ、５２ｄ間の湾曲搬送路５６は、蓄積性蛍光体パネルＰを搬送方向と直交する方向に幅寄せする幅寄せ部を構成する。湾曲搬送路５６は、カセッテ装填部３８から下方向に延在した後、最下部において略水平状態となり、次いで、略鉛直上方向に延在する。略鉛直上方向に延在する部位は、後搬送路を構成する。このように湾曲搬送路５６を湾曲して構成することにより、読取装置２６の小型化が達成される。
【００２３】
ニップローラ５０と搬送ローラ５２ａとの間には、読取処理が終了した蓄積性蛍光体パネルＰに残存する放射線画像情報を消去するための消去ユニット６０が配設される。消去ユニット６０は、消去光を出力する冷陰極管からなる複数の消去光源６２を有する。
【００２４】
一方、湾曲搬送路５６の最下部に配設される搬送ローラ５２ｄ、５２ｅ間には、プラテンローラ６４が配設される。そして、プラテンローラ６４の上部には、蓄積性蛍光体パネルＰに蓄積記録された放射線画像情報を読み取る走査ユニット６６が配設される。
【００２５】
走査ユニット６６は、励起光であるレーザビームＬＢを導出して蓄積性蛍光体パネルＰを搬送方向と直交する方向に走査する励起部６８と、レーザビームＬＢによって励起されることで放出される放射線画像情報に係る輝尽発光光を集光する集光ガイド７０と、集光ガイド７０によって集光された輝尽発光光を電気信号に変換するフォトマルチプライヤ７２とを備える。なお、集光ガイド７０の一端部には、輝尽発光光の集光効率を高めるための集光ミラー７４が近接して配設される。
【００２６】
図３は、放射線画像形成システム１０の制御ブロックを示す。Ｘ線源制御装置２２には、作業者の操作によってＸ線源１６を駆動し、Ｘ線２０を被写体１８に照射するＸ線照射スイッチ７６が接続される。
【００２７】
読取装置２６は、読取装置制御部８０（動作状態検知手段）を有する。読取装置制御部８０には、読取装置２６の電源スイッチ８２、アーム部材２９の回動角度からＸ線源１６の配置を検出するＸ線源配置検出センサ７８（配置状態検知手段）、バーコードリーダ４２、走査ユニット６６を制御する走査ユニット制御部８４、消去ユニット６０を制御する消去ユニット制御部８６が接続される。
【００２８】
また、読取装置制御部８０には、タイマを起動して読取装置２６に信号が入力するまでの時間を計時するタイマ回路８８（入力状態検知手段）と、バッテリ２７の残容量を検出するバッテリ残容量検出センサ９０（残容量検知手段）と、Ｘ線源１６、読取装置２６又はバッテリ２７の使用状態に従って読取装置２６を通常処理状態モード、あるいは、省エネモード（待機状態）又は電源をオフとする源源オフモードの切り替えを行うモード切替回路９２（状態設定手段）とが接続される。
【００２９】
なお、読取装置制御部８０は、室内送受信機３５から送信された情報に基づいて、放射線画像形成システム１０が病室内等の放射線画像情報を取得する領域にあるか否かを検知する領域検知手段としても機能する。
【００３０】
本実施形態の放射線画像形成システム１０は、基本的には以上のように構成されるものであり、次に、その動作につき図４〜図８に示すフローチャートに従って説明する。
【００３１】
図４は、第１実施形態のフローチャートである。
【００３２】
先ず、作業者は、放射線画像形成システム１０を台車１２とともに被写体１８の場所、例えば、病室まで移動させた後、放射線画像形成システム１０を構成するコンソール１４及び読取装置２６を含む全電源をＯＮにする（ステップＳ１）。
【００３３】
次いで、コンソール１４を操作して、被写体１８の名前、撮影方法等の撮影情報を入力し、あるいは、送受信機２８を介して室内送受信機３５から撮影情報を取得するとともに、被写体１８の放射線画像情報を記録するカセッテ２４を選択し、カセッテ２４に装着されているバーコードを読み取ることで、カセッテ２４のＩＤ情報を取得する。このようにして、撮影情報及びカセッテ２４のＩＤ情報が設定され、撮影準備が完了する（ステップＳ２）。
【００３４】
撮影準備が完了し、当該カセッテ２４を所定位置にセットするとともに、アーム部材２９を介してＸ線源１６を所定位置に設定した後、作業者がＸ線照射スイッチ７６を操作すると、Ｘ線源制御装置２２がＸ線源１６を駆動して被写体１８にＸ線２０が照射され、Ｘ線撮影が行われる（ステップＳ３）。被写体１８を透過したＸ線２０は、カセッテ２４に収納された蓄積性蛍光体パネルＰに照射され、放射線画像情報が蓄積記録される。
【００３５】
次に、放射線画像情報が記録された蓄積性蛍光体パネルＰを収納するカセッテ２４が読取装置２６に装填され、放射線画像情報の読取消去処理が行われる（ステップＳ４）。
【００３６】
すなわち、カセッテ２４が蓋部材３０側を下にして読取装置２６のカセッテ装填部３８に装填されると、バーコードリーダ４２がカセッテ２４のバーコードを読み取り、カセッテ２４のＩＤ情報が取得される。次いで、ロック解除機構４６によって蓋部材３０のロックが解除されて蓋部材３０が開蓋された後、吸着盤４８により蓄積性蛍光体パネルＰが吸着されて取り出され、ニップローラ５０に供給される。ニップローラ５０は、蓄積性蛍光体パネルＰを挟持して湾曲搬送路５６に供給する。湾曲搬送路５６を構成する搬送ローラ５２ａ〜５２ｇは、蓄積性蛍光体パネルＰを搬送する。
【００３７】
蓄積性蛍光体パネルＰが搬送ローラ５２ｄ、５２ｅ間を副走査搬送されるとともに、励起部６８からのレーザビームＬＢが蓄積性蛍光体パネルＰを主走査することにより、放射線画像情報の読み取りが行われる。すなわち、励起部６８から出力されたレーザビームＬＢが蓄積性蛍光体パネルＰに照射されると、蓄積性蛍光体パネルＰから放射線画像情報に対応した輝尽発光光が出力される。この輝尽発光光は、集光ガイド７０を介してフォトマルチプライヤ７２に導かれ、電気信号としての放射線画像情報に変換される。読み取られた放射線画像情報は、カセッテ２４のＩＤ情報とともに図示しない記憶手段に記憶され、あるいは、コンソール１４を介して送受信機２８から室内送受信機３５に送信される。
【００３８】
放射線画像情報の読み取られた蓄積性蛍光体パネルＰは、一旦ガイド板５４ｆ側まで搬送された後、再び走査ユニット６６の下部を介してカセッテ装填部３８側に戻される。カセッテ装填部３８側に戻された蓄積性蛍光体パネルＰは、ニップローラ５０、搬送ローラ５２ａ間に配設されている消去ユニット６０を構成する消去光源６２から出力される消去光により、蓄積性蛍光体パネルＰに残存する放射線画像情報が除去される。
【００３９】
残存する放射線画像情報の消去処理が終了した蓄積性蛍光体パネルＰは、ニップローラ５０及び吸着盤４８を用いてカセッテ２４に収納されて蓋部材３０が閉蓋された後、次の撮影に使用される。
【００４０】
当該病室内における他の撮影処理がある場合、ステップＳ２〜Ｓ４の処理を繰り返す（ステップＳ５）。
【００４１】
一方、病室内での回診撮影処理が終了すると、作業者は、放射線画像形成システム１０を入口３３から外部に搬送し、他の病室に移動する。このとき、読取装置制御部８０は、室内送受信機３５から送受信機２８を介して受信している情報に基づき、放射線画像形成システム１０が病室の外部に移動したことを検知し（ステップＳ６）、モード切替回路９２を制御して、読取装置２６を省エネモードに切り替える（ステップＳ７）。これによって、消費電力の大きな読取装置２６による電力消費が抑制され、バッテリ２７の電力消耗を必要最小限にすることができる。
【００４２】
なお、読取装置２６を省エネモードにするとともに、コンソール１４のディスプレイの電源等、他の不必要な機器の電源をＯＦＦにしてもよい。また、読取装置２６の再立ち上げに要する時間が問題とならない場合には、読取装置２６の電源を完全にＯＦＦの状態としてもよい。
【００４３】
全病室の回診が終了すると（ステップＳ８）、作業者は、放射線画像形成システム１０の全電源をＯＦＦにして作業を完了する（ステップＳ９）。
【００４４】
一方、回診の必要な病室がある場合、入口３３を介して病室内に放射線画像形成システム１０を搬送する。このとき、読取装置制御部８０は、室内送受信機３５から送受信機２８を介して情報を取得することで、放射線画像形成システム１０が病室内に移動したことを検知し（ステップＳ１０）、モード切替回路９２を制御して、読取装置２６を読取消去処理が可能な通常モードに切り替え、あるいは、電源スイッチ８２を制御して読取装置２６の電源をＯＮにする（ステップＳ１１）。そして、ステップＳ２からの処理を繰り返す。
【００４５】
図５は、第２実施形態のフローチャートである。
【００４６】
先ず、作業者は、放射線画像形成システム１０を病室に移動させた後、読取装置２６を除く放射線画像形成システム１０の全電源をＯＮにする（ステップＳ２１）。
【００４７】
次いで、第１実施形態のステップＳ２の場合と同様にして撮影準備を行い（ステップＳ２２）、撮影準備が完了した時点でトリガ信号を生成し（ステップＳ２３）、そのトリガ信号に従って読取装置２６の電源をＯＮにする（ステップＳ２４）。これにより、読取装置２６の立ち上げ処理が開始される。なお、トリガ信号は、作業者によるＸ線照射スイッチ７６の操作に応じて生成してもよい。
【００４８】
次に、Ｘ線源１６を駆動して被写体１８のＸ線撮影を行った後（ステップＳ２５）、蓄積性蛍光体パネルＰを収納したカセッテ２４を読取装置２６に装填して、放射線画像情報の読取消去処理を行う（ステップＳ２６）。この場合、読取装置２６の電源が既に投入されているため、速やかに読取消去処理を行うことができる。
【００４９】
蓄積性蛍光体パネルＰの読取消去処理が完了すると、読取装置制御部８０は、トリガ信号を生成してモード切替回路９２に出力する（ステップＳ２７）。モード切替回路９２は、このトリガ信号に従い読取装置２６の電源をＯＦＦにする（ステップＳ２８）。この結果、読取装置２６による無用な電力の消耗を抑制することができる。次の撮影がある場合には、ステップＳ２２からの処理を繰り返す。
【００５０】
なお、ステップＳ２８で読取装置２６の電源をＯＦＦにする代わりに、省エネモードに切り替えるようにしてもよい。
【００５１】
図６は、第３実施形態のフローチャートである。
【００５２】
作業者は、放射線画像形成システム１０を病室に移動させた後、全電源をＯＮにする（ステップＳ３１）。
【００５３】
次いで、読取装置制御部８０は、タイマ回路８８を駆動して計時を開始し、タイマ監視を行う（ステップＳ３２）。
【００５４】
そこで、読取装置制御部８０は、読取装置２６の各部、及び、外部から読取装置２６への信号の入力の有無を監視する（ステップＳ３３）。例えば、コンソール１４を介して読取装置２６に入力される動作指示信号、Ｘ線源制御装置２２からのＸ線撮影の信号、カセッテ２４がカセッテ装填部３８に装填されたことを検知する信号、走査ユニット制御部８４や消去ユニット制御部８６からの信号等の有無を監視する。
【００５５】
タイマ回路８８によって計時されている信号未入力時間が所定の設定時間以上でなければ（ステップＳ３４）、読取装置制御部８０は、読取装置２６の電源ＯＮの状態を継続させる。
【００５６】
一方、信号未入力時間が所定の設定時間以上となった場合、読取装置制御部８０は、読取装置２６が長時間使用されない状態であると判断し、モード切替回路９２を制御して読取装置２６を省エネモードに切り替える（ステップＳ３５）。
【００５７】
また、ステップＳ３３において信号の入力があった場合、読取装置制御部８０は、タイマ回路８８をリセットした後（ステップＳ３６）、モード切替回路９２を制御し、読取装置２６の状態を直ちに読取消去処理を行うことのできる通常モードに切り替える（ステップＳ３７）。
【００５８】
以上の処理は、放射線画像形成システム１０による処理が終了するまで繰り返し行われる（ステップＳ３８）。
【００５９】
図７は、第４実施形態のフローチャートである。
【００６０】
作業者は、放射線画像形成システム１０を病室に移動させた後、全電源をＯＮにする（ステップＳ４１）。
【００６１】
次いで、第１実施形態のステップＳ２〜Ｓ４の場合と同様にして、撮影準備を行った後（ステップＳ４２）、カセッテ２４をセットしてＸ線撮影を行い（ステップＳ４３）、放射線画像情報の記録された蓄積性蛍光体パネルＰをカセッテ２４とともに読取装置２６に装填して読取消去処理を行う（ステップＳ４４）。
【００６２】
次に、読取装置制御部８０は、Ｘ線源配置検出センサ７８を用いてＸ線源１６の撮影状態を確認する（ステップＳ４５）。Ｘ線源配置検出センサ７８によって検出されたＸ線源１６を支持するアーム部材２９の位置が撮影可能状態に設定されている場合、読取装置制御部８０は、放射線画像情報の撮影処理及びそれに続く読取消去処理が継続されるものと判断し、読取装置２６の電源をＯＮのままとしてステップＳ４２からの処理を繰り返す。
【００６３】
一方、アーム部材２９の折りたたまれた状態を検知した場合、読取装置制御部８０は、Ｘ線源１６による撮影が行われない状態にあるものと判断し、読取装置２６の電源をＯＦＦとする（ステップＳ４６）。
【００６４】
次いで、放射線画像形成システム１０を移動させるとともに（ステップＳ４７）、Ｘ線源配置検出センサ７８によるアーム部材２９の位置検出を継続し（ステップＳ４８）、Ｘ線源１６が再び撮影可能状態に設定されたことが確認されると、読取装置２６の電源をＯＮとし（ステップＳ４９）、ステップＳ４１からの処理を繰り返す。
【００６５】
なお、第２実施形態の場合と同様に、ステップＳ４６で読取装置２６の電源をＯＦＦにする代わりに、省エネモードに切り替えるようにしてもよい。
【００６６】
図８は、第５実施形態のフローチャートである。
【００６７】
作業者は、放射線画像形成システム１０を病室に移動させた後、全電源をＯＮにする（ステップＳ５１）。
【００６８】
次いで、第１実施形態のステップＳ２〜Ｓ４の場合と同様にして、撮影準備を行った後（ステップＳ５２）、カセッテ２４をセットしてＸ線撮影を行い（ステップＳ５３）、放射線画像情報の記録された蓄積性蛍光体パネルＰをカセッテ２４とともに読取装置２６に装填して読取消去処理を行う（ステップＳ５４）。
【００６９】
ここで、全ての処理が終了する場合（ステップＳ５５）、放射線画像形成システム１０の全電源をＯＦＦとして作業が終了する（ステップＳ５６）。
【００７０】
一方、処理が継続されている場合（ステップＳ５５）、読取装置制御部８０は、バッテリ残容量検出センサ９０によって検出されたバッテリ２７の残容量を確認し（ステップＳ５７）、残容量が放射線画像形成システム１０が正常に動作する下限値以下でなければ（ステップＳ５８）、ステップＳ５２からの処理を継続する。
【００７１】
一方、バッテリ２７の残容量が前記下限値以下の場合（ステップＳ５８）、読取装置制御部８０は、モード切替回路９２を制御して読取装置２６を省エネモードに切り替え、あるいは、読取装置２６の電源をＯＦＦとした後（ステップＳ５９）、バッテリ２７の充電を指示する。なお、充電の指示は、コンソール１４に表示させ、あるいは、警告音で作業者に報知することができる。
【００７２】
充電が指示されると、作業者は、充電器３１をＡＣ電源に接続して充電を行い（ステップＳ６０）、充電が完了した後（ステップＳ６１）、モード切替回路９２を制御して読取装置２６を通常モードに切り替え（ステップＳ６２）、ステップＳ５２からの処理を繰り返す。
【００７３】
なお、本発明は、上述した実施形態に限定されるものではなく、本発明の主旨を逸脱しない範囲で自由に変更できることは勿論である。
【図面の簡単な説明】
【００７４】
【図１】本実施形態の放射線画像形成システムの構成図である。
【図２】読取装置の内部構成図である。
【図３】放射線画像形成システムの制御ブロック図である。
【図４】第１実施形態の動作フローチャートである。
【図５】第２実施形態の動作フローチャートである。
【図６】第３実施形態の動作フローチャートである。
【図７】第４実施形態の動作フローチャートである。
【図８】第５実施形態の動作フローチャートである。
【図９】従来技術にかかる可搬型撮影装置の構成説明図である。
【符号の説明】
【００７５】
１０…放射線画像形成システム    １２…台車
１４…コンソール                １６…Ｘ線源
１８…被写体                    ２０…Ｘ線
２２…Ｘ線源制御装置            ２４…カセッテ
２６…読取装置                  ２７…バッテリ
２８…送受信機                  ３５…室内送受信機
６０…消去ユニット              ６６…走査ユニット
７６…Ｘ線照射スイッチ          ７８…Ｘ線源配置検出センサ
８０…読取装置制御部            ８２…電源スイッチ
８４…走査ユニット制御部        ８６…消去ユニット制御部
９２…モード切替回路            Ｐ…蓄積性蛍光体パネル
【図１】
2008073121.tif 000003
【図２】
2008073121.tif 000004
【図３】
2008073121.tif 000005
【図４】
2008073121.tif 000006
【図５】
2008073121.tif 000007
【図６】
2008073121.tif 000008
【図７】
2008073121.tif 000009
【図８】
2008073121.tif 000010
【図９】
2008073121.tif 000011